(57)【要約】【課題】炎導筒の軸振れを防止し、またドラムの軸振れも好適に防止できるアスファルト廃材再生装置を提供する。【解決手段】ドラム１２内に投入されたアスファルト廃材を加熱して溶融するバーナー３７と、ドラム１２の内底部に奥端側が固定されると共に先端側がドラム１２の開口部１３側に向けて延設され、奥端側が開口してバーナー３７からの火炎をドラム１２内に導く炎導筒３６とを有するアスファルト廃材再生装置１０において、炎導筒３６の先端部がドラム１２の開口部よりも外方に突出して設けられ、支持部１６に、該炎導筒３６の先端部を回転自在に支承する支持ローラ４６が設けられていることを特徴とする。【選択図】図３
2007217907.tif 000002
【特許請求の範囲】
【請求項１】
開口部と底部を有し、支持部に軸線を中心として回転可能に設けられたドラムと、前記支持部に設けられ前記ドラムを回転駆動する駆動部と、前記ドラム内に投入されたアスファルト廃材を加熱して溶融するバーナーと、軸線を前記ドラムの軸線に一致させて、ドラムの内底部に奥端側が固定されると共に先端側がドラムの開口部側に向けて延設され、奥端側が開口して前記バーナーからの火炎をドラム内に導く炎導筒とを有するアスファルト廃材再生装置において、
前記炎導筒の先端部が前記ドラムの開口部よりも外方に突出して設けられ、前記支持部に、該炎導筒の先端部を回転自在に支承する支持ローラが設けられていることを特徴とするアスファルト廃材再生装置。
【請求項２】
前記ドラムの回転軸がドラム底部中央から外方に突出し、該回転軸が前記支持部に回転自在に支承されていることを特徴とする請求項１記載のアスファルト廃材再生装置。
【請求項３】
前記支持部が、前記ドラムの底部外側に沿って延びる後部枠、該後部枠に連接され、前記ドラムの両側部に沿って前方に延びる側部枠、および該側部枠に連接され、前記ドラムの開口部に沿って延びる前部枠を有する支持枠からなり、
前記ドラムの回転軸が前記後部枠に回転自在に支承され、
前記支持ローラが前記前部枠に配設されていることを特徴とする請求項２記載のアスファルト廃材再生装置。
【請求項４】
前記両側部枠に側部枠回転軸が設けられ、
該側部枠回転軸が支持脚に回転自在に支承され、
該側部枠回転軸を回転する傾動駆動部が設けられ、
該傾動駆動部により側部枠回転軸が回転されることにより、前記ドラムが前後方向に傾動可能に設けられていることを特徴とする請求項３記載のアスファルト廃材再生装置。
【請求項５】
前記バーナーが前記前部枠に取り付けられていることを特徴とする請求項３または４記載のアスファルト廃材再生装置。
【請求項６】
前記炎導筒が、内筒と外筒からなる二重筒に形成され、該外筒が前記支持ローラに受けられていることを特徴とする請求項１〜５いずれか１項記載のアスファルト廃材再生装置。
【請求項７】
前記内筒外壁と外筒内壁との間に駒部材が介在されて、内筒外壁と外筒内壁との間に所用隙間が形成されていることを特徴とする請求項６記載のアスファルト廃材再生装置。
【発明の詳細な説明】
【技術分野】
【０００１】
本発明は、アスファルト廃材再生装置に関する。
【背景技術】
【０００２】
舗装道路はアスファルトにより多く舗装されている。そして、ガス管、水道管等の配管埋設工事やこれらの補修工事の際には、アスファルトは路面から剥がされ、アスファルト廃材（単に廃材という場合がある）として廃棄される場合も多い。しかし、廃材の廃棄処分は自然環境の面で好ましくないので、近年廃材を再生利用する技術が提案されている。
【０００３】
発明者は先に、回転するドラム内中央部に、底部にて開口する炎導筒を設け、この炎導筒を通じてバーナーより火炎をドラム内に導入するアスファルト廃材再生装置を提案した（特開２００４−１８３３４１）。
この装置によれば、熱風をドラム内の底部側から開口部側に導くことができるので、効率よくアスファルト廃材を溶融することができる。
【特許文献１】特開２００４−１８３３４１
【発明の開示】
【発明が解決しようとする課題】
【０００４】
しかしながら、上記装置では、炎導筒が、ドラム内中央部に、その底部側でドラムの内底面上に固定されるものであるため、ドラムの回転によって廃材が炎導筒外周上に落下しやすく、そのため、炎導筒が変形（軸振れ）しやすいという課題がある。
そこで本発明は上記課題を解決すべくなされたもので、その目的とするところは、炎導筒の軸振れを防止し、またドラムの軸振れも好適に防止できるアスファルト廃材再生装置を提供するにある。
【課題を解決するための手段】
【０００５】
本発明に係るアスファルト廃材再生装置は、開口部と底部を有し、支持部に軸線を中心として回転可能に設けられたドラムと、前記支持部に設けられ前記ドラムを回転駆動する駆動部と、前記ドラム内に投入されたアスファルト廃材を加熱して溶融するバーナーと、軸線を前記ドラムの軸線に一致させて、ドラムの内底部に奥端側が固定されると共に先端側がドラムの開口部側に向けて延設され、奥端側が開口して前記バーナーからの火炎をドラム内に導く炎導筒とを有するアスファルト廃材再生装置において、前記炎導筒の先端部が前記ドラムの開口部よりも外方に突出して設けられ、前記支持部に、該炎導筒の先端部を回転自在に支承する支持ローラが設けられていることを特徴とする。
【０００６】
前記ドラムの回転軸がドラム底部中央から外方に突出し、該回転軸が前記支持部に回転自在に支承されていることを特徴とする。
また、前記支持部が、前記ドラムの底部外側に沿って延びる後部枠、該後部枠に連接され、前記ドラムの両側部に沿って前方に延びる側部枠、および該側部枠に連接され、前記ドラムの開口部に沿って延びる前部枠を有する支持枠からなり、前記ドラムの回転軸が前記後部枠に回転自在に支承され、前記支持ローラが前記前部枠に配設されていることを特徴とする。
【０００７】
また、前記両側部枠に側部枠回転軸が設けられ、該側部枠回転軸が支持脚に回転自在に支承され、該側部枠回転軸を回転する傾動駆動部が設けられ、該傾動駆動部により側部枠回転軸が回転されることにより、前記ドラムが前後方向に傾動可能に設けられていることを特徴とする。
また、前記バーナーが前記前部枠に取り付けられていることを特徴とする。
また、前記炎導筒が、内筒と外筒からなる二重筒に形成され、該外筒が前記支持ローラに受けられていることを特徴とする。
また、前記内筒外壁と外筒内壁との間に駒部材が介在されて、内筒外壁と外筒内壁との間に所用隙間が形成されていることを特徴とする。
【発明の効果】
【０００８】
本発明によれば、炎導筒の先端側を支持ローラによって回転自在に支承したので、炎導筒の軸振れを防止でき、ひいてはドラムの軸振れをも防止でき、これらの軸受部等の寿命を延ばすことができる。
【発明を実施するための最良の形態】
【０００９】
以下本発明の好適な実施の形態を添付図面に基づき詳細に説明する。
図１はアスファルト廃材再生装置１０の平面図（一部を断面で示す）、図２は正面図、図３は側面図（一部を断面で示す）、図４は背面図である。
【００１０】
１２はドラムであり、開口部１３と底部１４を有する樽状をなし、支持部１６に軸線を中心として回転可能に設けられている。なお、１５は攪拌羽根である。
支持部１６は、ドラム１２の底部外側に沿って延びる後部枠１６ａ、該後部枠１６ａに連接され、ドラム１２の両側部に沿って前方に延びる側部枠１６ｂ、１６ｂおよび該側部枠１６ｂ、１６ｂに連接され、ドラム１２の開口部１３に沿って延びる前部枠１６ｃを有する、平面形状が矩形状をなす支持枠１６となっている。なお、支持部１６は、強度を得るために、上下２つの矩形枠を連結部により適宜箇所で連結した構造のものとなっている。
【００１１】
ドラム１２の底部中央から回転軸１８がドラム外方に突出し、この回転軸１８が支持部１６の後部枠１６ａに軸受１９を介して回転自在に支承されている。２０は駆動部（電動モータ）であり、支持部１６上に設けられ、回転軸１８を回転する。これによりドラム１２がを軸線を中心として回転駆動される。このように、ドラム１２は、回転軸１８により片持ち支持された構造となっている。
【００１２】
次に、２２ａ、２２ａは支持脚である。支持脚２２ａ、２２ａは基台２４の左右両側に一対上方を向けて配設されている。
そして、支持部１６の両側部枠１６ｂ、１６ｂに側部枠回転軸２６が設けられ、この側部枠回転軸２６が支持脚２２ａ、２２ａの上部に設けられた軸受２８に回転自在に支承されている。そして一方の支持脚２２ａに側部枠回転軸２６を回転駆動する傾動駆動部（電動モータ）３０が設けられている。この傾動駆動部３０により側部枠回転軸２６が回転されることにより、ドラム１２が前後方向に傾動可能に設けられている。
【００１３】
なお、基台２４の４隅下端には車輪３２が設けられ、これにより容易に移動可能となっている。
また、３４はカバーであり、開口部１３以外のドラム１２の外方を覆っている。なお、図１ではカバー３４の図示を省略し、一方、図２、３、４では、本来はドラム１２の外形はカバー３４に覆われて見えないが、透視図的に記載している。
【００１４】
次に、図１、図３において、３６は炎導筒である。炎導筒３６は、軸線をドラム１２の軸線に一致させて、ドラム１２の内底部に奥端側が固定されると共に先端側がドラム１２の開口部１３側に向けて延設されている。
３７は、バーナーであり、ステー３９を介して前部枠１６ｃに取り付けられ、炎導筒３６内に火炎を送り込む。これにより、炎導筒３６内の空気は加熱され、熱風となって炎導筒３６奥側からドラム１２内に送り込まれ、アスファルト廃材を溶融させる。なお、４１はシュータであり（図１）、廃材をドラム１２内に投入するとき利用される。
【００１５】
本実施の形態では、炎導筒３６は、内筒３６ａと外筒３６ｂとの二重筒構造となっている。内筒３６ａ外壁と外筒３６ｂ内壁との間には適宜複数の駒部材４０が配設され、この駒部材４０を介して内筒３６ａが外筒３６ｂに固定されると共に、両者間に適宜な空間が形成されている。このように、炎導筒３６が二重筒構造となっていて、内筒３６ａと外筒３６ｂとの間に適宜な隙間が生じていることから、空気層が断熱層となって、外筒３６ｂが直接加熱されない。これによって、アスファルト廃材は、炎導筒３６から導入される熱風によって加熱され、溶融する。炎導筒３６が単なる一重の筒体であると、該筒体が直接加熱され、高温になって、これに接触するアスファルトが燃焼しやすくなってしまうので好ましくない。
【００１６】
炎導筒３６は、その奥端側において、周方向の３箇所において、取付板４２を介してドラム１２の内底面に強固に固定される。すなわち、取付板４２の一端側がドラム１２の内底面に溶接等によって固定され、取付板４２の他端側が炎導筒３６の外筒３６ｂの外周面に溶接等によって固定されている。炎導筒３６の奥端とドラム１２の内底面との間には適宜な隙間があり、炎導筒３６内に導かれた火炎によって加熱された熱風が、取付板４２間の隙間からドラム１２内にその奥側から開口部１３側に向けて流れ、これによってドラム１２内に投入されているアスファルトを溶解させるのである。
【００１７】
なお、炎導筒３６の先端側は、周方向の３箇所において、取付板４４を介してドラム１２に固定される。すなわち、取付板４４の一端側が炎導筒３６の外筒３６ｂに溶接等によって固定され、他端側がドラム１２の開口縁に溶接等によって固定されている。開口部１３が上方向を向くようにドラム１２が傾動された状態で、取付板４４間の隙間からアスファルト廃材がドラム１２内に投入される。また廃材が溶解された後は、開口部１３が下方を向くようにドラム１２が傾動された状態で、取付板４４間の隙間から溶融アスファルトが外部に取り出される。
【００１８】
本実施の形態で特徴とするのは、炎導筒３６の先端側がドラム１２の開口部１３よりも外方に突出され、この突出した状態において、支持部１６の前部枠１６ｃ上に設けた支持ローラ４６に回転自在に支承されている点にある。すなわち、炎導筒３６の外筒３６ｂの外周が、前部枠１６ｃに設けた４個の支持ローラ４６に回転自在に受けられている。なお、支持ローラ４６は、図示の例では上側に２個、下側に２個配設したが、少なくとも下側の２個によって炎導筒３６を受けるようにすればよい。
【００１９】
このように、炎導筒３６は、奥側において、ドラム１２の内底面に取付板４２を介して強固に固定され、また先端側において取付板４４を介してドラム１２の開口縁に固定され、一方、ドラム１２外に突出する先端側において、前部枠１６ｃに設けた支持ローラ４６によって回転自在に受けられているので、炎導筒３６自体が言わば両持ち的に支持されている。これにより、ドラム１２が回転され、中でかき回される廃材から衝撃を受けても、炎導筒３６は変形しにくく、特に軸振れが生じなく好適である。
【００２０】
また支持ローラ４６は単に炎導筒３６を受けるばかりでなく、該炎導筒３６を介してドラム１２をも回転自在に受けていることにもなり、言わばドラム１２が両持ち支持された状態となり、ドラム１２自体の軸振れも防止でき好適である。これにより、ドラム１２の回転軸１８やその軸受１９の寿命も延びる。
【００２１】
なお、炎導筒３６は、二重構造とすることによって、前記のように廃材を燃焼させてしまうようなことがなく、また、それほど高温でない外筒３６ｂを支持ローラ４６で受けることになるので好適であるが、本実施の形態においては、炎導筒３６は必ずしも二重構造でなく、一重構造のものであってもよい。
【００２２】
５０はプロパンガスボンベであり、基台２４上に配置され、配管５１を介してバーナー３７に接続される。また、５２は加熱コンロであり、廃材でなく、新しいアスファルトを溶融するためのものであり、この溶融した新しいアスファルトを適量、廃材を溶融したアスファルトに混入して、道路の舗装用等として供給するのである。
【００２３】
以上のように、本実施の形態では、炎導筒３６の先端側を支持ローラ４６によって回転自在に支承したので、炎導筒３６の軸振れを防止でき、ひいてはドラム１２の軸振れをも防止でき、これらの軸受部等の寿命を延ばすことができる。
【００２４】
なお、上記では、炎導筒を支持ローラで受ける点を発明の要旨としたが、炎導筒３６を二重構造としたところを発明として捉えれば、支持ローラ４６は必ずしも必要としない点を付記する。
【図面の簡単な説明】
【００２５】
【図１】アスファルト廃材再生装置の平面図（一部断面）である。
【図２】アスファルト廃材再生装置の正面図である。
【図３】アスファルト廃材再生装置の側面図（一部断面）である。
【図４】アスファルト廃材再生装置の背面図である。
【符号の説明】
【００２６】
１０  アスファルト廃材再生装置
１２  ドラム
１３  開口部
１４  底部
１５  攪拌羽根
１６  支持部
１６ａ  後部枠
１６ｂ  側部枠
１６ｃ  前部枠
１８  回転軸
１９  軸受
２０  駆動部
２２ａ  支持脚
２４  基台
２６  側部枠回転軸
２８  軸受
３０  傾動駆動部
３４  カバー
３６  炎導筒
３６ａ  内筒
３６ｂ  外筒
３７  バーナー
３９  ステー
４０  駒部材
４１  シュータ
４２  取付板
４４  取付板
４６  支持ローラ
５０  プロパンガスボンベ
５１  配管
５２  加熱コンロ
【図１】
2007217907.tif 000003
【図２】
2007217907.tif 000004
【図３】
2007217907.tif 000005
【図４】
2007217907.tif 000006